(57)【特許請求の範囲】
【請求項１】
遊技盤に設けられた電気的動作部品の動作を検査する遊技盤検査装置において、
コンベアで運搬される検査治具に設けられた治具側検査制御装置と、コンベアとは異なる場所に設けられた操作側検査制御装置とを備えており、
治具側検査制御装置が検査治具に搭載された遊技盤の機種に対応する機種情報を入力する操作部と、入力された機種情報を記憶する第１記憶部と、記憶された機種情報を操作側検査制御装置に出力する治具側アンテナとを備え、
操作側検査制御装置が検査プログラムを前記機種情報と対応付けして記憶する第２記憶部と、記憶された検査プログラムを治具側検査制御装置から入力された機種情報に対応して治具側検査制御装置に出力する操作側アンテナとを備えたことを特徴とする遊技盤検査装置。
【請求項２】
前記操作側検査制御装置の第２記憶部が異なる複数の機種情報に対応する検査プログラムを各機種情報と対応付けして記憶することを特徴とする請求項１に記載の遊技盤検査装置。
【請求項３】
前記治具側検査制御装置がコンベアの検査領域手前で操作側検査制御装置に機種情報を出力する手段を備えたことを特徴とする請求項１又は請求項２に記載の遊技盤検査装置。
【請求項４】
前記コンベアは前記検査治具をコンベアの駆動と無関係に停止し得るストッパを備えたことを特徴とする請求項１乃至請求項３いずれかに記載の遊技盤検査装置。
【発明の詳細な説明】
【０００１】
【発明の属する技術分野】
本発明は、遊技盤の検査装置に関する。
【０００２】
【従来の技術】
パチンコ機のＧ盤と呼ばれる遊技盤は次のような手順で製造される。合成樹脂板の裏面に図柄の描かれたセルと呼ばれる化粧シートをベニヤ板のような四角形の基板の一表面に貼付け、化粧シート側から基板に釘や機能部品等の取付用の下穴をあけ、化粧シートと基板とに機能部品を逃げるための開口部をあける。その後、化粧シート側から基板には遊技釘や障害釘と呼ばれる釘が多数本打込まれると共に、ガイドレール、入賞口装置、アウト口装置、サイドランプ、図柄表示装置、風車、ランプ風車等の機能部品が取付けられる。このようにして形成された遊技盤は、入賞口装置、サイドランプ、図柄表示装置、ランプ風車等の電気的に動作する機能部品を有することから、それらの電気的動作部品が遊技盤の裏側に配置される制御装置からの指示により正常に動作するか否かの検査を行う。そして、検査に合格した遊技盤が製品として出荷される。
【０００３】
図３は従来の遊技盤検査装置を示す。図３において、１はコンベア、２は検査用電源、３はストッパ、４は検査治具、１０は検査対象である遊技盤、１１は検査用制御装置である。そして、コンベア１が矢印方向Ｘの一方向に循環駆動された状態において、コンベア１の上部にはコンベア１の流れ方向の上流側で検査用制御装置１１を含む検査治具４が載せられる。次に、検査治具４に遊技盤１０が載せられる。この場合、遊技盤１０の電気的動作部品から延びた図外の配線が検査用制御装置１１にコネクタで接続される。次に、検査治具４がコンベア１により検査領域に到達すると、ストッパ３が検査治具４に接触することにより、検査治具４がコンベア１の駆動と無関係に検査領域に停止させられ、検査治具４の入力部には検査用電源２が接続される。
【０００４】
それから、検査用電源２から検査用制御装置１１に電力が供給されて、検査用制御装置１１が起動して遊技盤１０の電気的動作部品を動作させる。この時、図外の作業者が遊技盤１０の電気的動作部品の動作状態を見て正常か異常かを判断する。この遊技者による盤面検査では、例えば、電気的動作部品の大当り動作を確認する。
【０００５】
それには、作業者が球を遊技盤１０における大当り遊技発生のきっかけを作る始動入賞口装置に入れる。すると、遊技盤１０に設けられた図外の始動入賞球検出器が始動入賞口に入賞した球を検出した信号が検査用制御装置１１に入力される。これによって、検査用制御装置１１は遊技盤１０に設けられた図外の図柄表示装置を大当り動作に制御する。そして、図柄表示装置の図柄が大当りを示す状態に停止すると、検査用制御装置１１が遊技盤１０に設けられたアタッカとか大入賞口と呼ばれる図外の変動入賞口装置の入賞口を開閉制御すると共に遊技盤１０に設けられた図外の図柄表示装置周りの発光表示器やサイドランプ或いはランプ風車等の発光表示部品を発光制御する。その状態において、作業者が変動入賞口装置の開閉や発光表示部品の発光等の動作が正常であるか否かを見て判定する。
【０００６】
上記盤面検査に合格した遊技盤には正規の制御装置が組込まれ、正規の制御装置による最終的な検査が行われる。
【０００７】
【発明が解決しようとする課題】
前記従来の遊技盤検査装置では、検査用制御装置１１が遊技盤１０の機種毎に変化するプログラムで動作するコンピュータを有する構造であるので、遊技盤１０の機種毎に対応する異なる検査用制御装置１１を多数用意しておき、遊技盤１０の機種替毎に検査用制御装置１１も変更する必要がある。このため、検査用制御装置１１の数が多く、多数の検査用制御装置１１の保管管理に多大な労力と時間を要する。
【０００８】
そこで、本発明は、検査用制御の変更作業の容易化を図り、生産効率を向上できる遊技盤検査装置を提供するものである。
【０００９】
【課題を解決するための手段】
本発明にあっては遊技盤に設けられた電気的動作部品の動作を検査する遊技盤検査装置において、コンベアで運搬される検査治具に設けられた治具側検査制御装置と、コンベアとは異なる場所に設けられた操作側検査制御装置とを備えており、治具側検査制御装置が検査治具に搭載された遊技盤の機種に対応する機種情報を入力する操作部と、入力された機種情報を記憶する第１記憶部と、記憶された機種情報を操作側検査制御装置に出力する治具側アンテナとを備え、操作側検査制御装置が検査プログラムを機種情報と対応付けして記憶する第２記憶部と、記憶された検査プログラムを治具側検査制御装置から入力された機種情報に対応して治具側検査制御装置に出力する操作側アンテナとを備えたことを特徴としている。よって、本発明によれば、検査治具に搭載された遊技盤の機種を示す機種情報が治具側検査制御装置から操作側検査制御装置に送信されると、それに応答する形態で検査プログラムが操作側検査制御装置から治具側検査制御装置に送信されて記憶されるので、遊技盤の機種毎に対応する異なる検査用制御装置を多数用意する不都合が解消でき、検査用制御の変更作業が容易となり、生産効率が向上できる。
又、本発明にあっては操作側検査制御装置の第２記憶部が異なる複数の機種情報に対応する検査プログラムを各機種情報と対応付けして記憶すれば、例えば、１日或いは１週間程度の間に検査しようとする遊技盤の異なる機種に対応する複数の検査プログラムを第２記憶部に格納しておくことにより、検査しようとする遊技盤の機種が異なる毎に検査プログラムを操作側検査制御装置に記憶する手間が省ける。
又、本発明にあっては、治具側検査制御装置がコンベアの検査領域手前で操作側検査制御装置に機種情報を出力する手段を備えれば、治具側検査制御装置と操作側検査制御装置との間で行われる機種情報とそれに伴う検査プログラムとのやり取りと、治具側検査制御装置に記憶された検査プログラムによる検査動作との場所分けができ、量産品である遊技盤の検査効率が良くなる。
又、本発明にあっては、コンベアは検査治具をコンベアの駆動と無関係に停止し得るストッパを備えれば、遊技盤を所定位置に停止したまま電気的動作部品の動作を検査することができ、遊技盤がコンベアと一緒に移動したまま電気的動作部品の動作を検査する場合に比べ、作業者の目視による検査精度が良くなる。
【００１０】
【発明の実施の形態】
図１及び図２は本発明の一実施形態に係る遊技盤検査装置を示す。図１及び図２において、１はコンベア、２は検査用電源、３はストッパ、４は検査治具、５は治具側検査制御装置、６はデータキャリア機能を有する治具側アンテナ、７は操作側検査制御装置、８はデータキャリア機能を有する操作側アンテナ、９はインタフェース、１０は検査対象としての遊技盤である。検査治具４には治具側検査制御装置５及び治具側アンテナ６が設けられる。治具側検査制御装置５及び操作側検査装置７は、治具側アンテナ６と操作側アンテナ８とを介して無線で相互通信が行える、形態である。
【００１１】
治具側検査制御装置５では、作業者が操作部５ａを操作して、検査しようとする遊技盤１０の機種を示す機種情報５ｃを入力すると、その機種情報５ｃが記憶部５ｂに記憶される。操作側検査制御装置７は、パソコンのようなコンピュータ７ａ、コンピュータ７ａに接続された入力機器としてのキーボード７ｂ、コンピュータ７ａに接続された出力機器としての表示器７ｃ等を備える。コンピュータ７ａの記憶装置にはキーボード７ｂの人為的な操作により異なる複数の機種の検査プログラム７ｄが複数の機種情報５ｃと対応付けされて記憶される。
【００１２】
そして、異なる複数の機種の検査プログラム７ｄが操作側検査装置７のコンピュータ７ａに記憶されており、コンベア１が矢印方向Ｘの一方向に循環駆動された状態において、コンベア１の上部にはコンベア１の流れ方向の上流側で検査治具４が載せられる。その時、作業者が操作部５ａを操作して遊技盤１０の機種情報５ｃを治具側検査制御装置５に入力する。この機種情報５ｃの入力操作は、前回に検査された遊技盤１０と今回の遊技盤１０とが同じ機種である場合は行わず、前回に検査された遊技盤１０と今回の遊技盤１０とが異なる機種である場合に実行する。そして、検査治具４に遊技盤１０が載せられ、遊技盤１０の電気的動作部品から延びた配線１０ａが治具側検査制御装置５にコネクタで接続される。
【００１３】
次に、検査治具４がコンベア１により検査領域の手前に到達すると、検査治具４又は治具側検査制御装置５の何れかに設けられた図外の位置検出手段が上記検査治具４の検査領域手前への到達を検出した信号を治具側検査制御装置５に出力し、治具側検査制御装置５が検査治具４に搭載された遊技盤１０の機種情報５ｃを出力する。この機種情報５ｃは治具側検査制御装置５から治具側アンテナ６と操作側アンテナ８とインタフェース９とを経由して操作側検査制御装置７のコンピュータ７ａに送信される。すると、コンピュータ７ａが機種情報５ｃに対応した検査プログラム７ｄを出力する。この検査プログラムはコンピュータ７ａからインタフェース９と操作側アンテナ８と治具側アンテナ６とを経由して治具側検査制御装置５に送信されて記憶部５ｂに格納される。
【００１４】
引続き、検査治具４がコンベア１により検査領域に到達すると、ストッパ３が検査治具４をコンベア１の駆動と無関係に検査領域に停止させ、検査治具４の入力部には検査用電源２が接続される。それから、検査用電源２から治具側検査制御装置５に電力が供給されて、治具側検査制御装置５が起動して遊技盤１０の電気的動作部部品を動作させる。
【００１５】
その状態において、図外の作業者が球を遊技盤１０における大当り遊技発生のきっかけを作る始動入賞口装置に入れる。すると、遊技盤１０に設けられた図外の始動入賞球検出器が始動入賞口に入賞した球を検出した信号が治具側検査制御装置５に入力される。これによって、治具側検査制御装置５は遊技盤１０に設けられた図外の図柄表示装置を大当り動作に制御する。そして、図柄表示装置の図柄が大当りを示す状態に停止すると、治具側検査制御装置５が遊技盤１０に設けられた図外の変動入賞口装置の入賞口を開閉制御すると共に遊技盤１０に設けられた図外の図柄表示装置周りの発光表示器やサイドランプ或いはランプ風車等の発光表示部品を発光制御する。その時、作業者が変動入賞口装置の開閉や発光表示部品の発光等の動作が正常であるか否かを見て判定する。
【００１６】
前記実施形態では遊技盤１０の治具側検査制御装置５への機種情報５ｃの入力は作業者による操作部５ａの入力操作により行ったが、遊技盤１０にバーコードのような識別子による機種情報５ｃを設け、コンベア１の側にバーコードリーダのような電気的な読取器を操作部５ａとして設けておき、遊技盤１０がコンベア１の検査領域に到達する際に、読取器が遊技盤１０の機種情報５ｃを読取った情報を電気信号で治具側検査制御装置５に出力しても同様に適用できる。
【図面の簡単な説明】
【図１】  本発明の一実施形態の遊技盤検査装置を示す正面図。
【図２】  同実施形態の遊技盤検査装置側面図。
【図３】  従来の遊技盤検査装置を示す正面図。
【符号の説明】
１  コンベア
３  ストッパ
４  検査治具
５  治具側検査制御装置
５ａ  操作部
５ｂ  記憶部
５ｃ  機種情報
６  治具側アンテナ
７  操作側検査制御装置
７ａ  コンピュータ（記憶部）
７ｄ  検査プログラム
８  操作側アンテナ
１０  遊技盤
【図１】
0004414543.tif 000002
【図２】
0004414543.tif 000003
【図３】
0004414543.tif 000004